(57)【特許請求の範囲】
【請求項１】
装置本体と、
前記装置本体に開閉可能に設けられ、シートを搬送するシート搬送部及び前記シート搬送部により搬送されたシートの画像を読み取る画像読取手段を有するシート搬送装置と、を備え、
前記シート搬送装置は、
前記シート搬送部により搬送されるシートが通過するシート搬送路と、
前記シート搬送路を開閉する開閉部材と、
前記画像読取手段の向きを調整する調整手段と、を備え、
前記調整手段は、調整の際に操作される操作部を有し、前記開閉部材が開放状態のとき、前記操作部の前記開閉部材側の端部を外部に露出させることを特徴とする画像読取装置。
【請求項２】
前記シート搬送路を形成するガイド部材を備え、
前記操作部の開閉部材側の端部を、前記ガイド部材の開閉部材側の部分よりも開閉部材側に突出させることを特徴とする請求項１記載の画像読取装置。
【請求項３】
前記操作部は、前記開閉部材側の端部と反対側の端部が前記画像読取手段のシート搬送方向と直交する幅方向の一端に取り付けられていることを特徴とする請求項１又は２に記載の画像読取装置。
【請求項４】
前記シート搬送装置に設けられた軸を支点として回動する回動部材を備え、
前記回動部材に前記画像読取手段の前記幅方向の他端を取り付けたことを特徴とする請求項３記載の画像読取装置。
【請求項５】
前記操作部を、前記シート搬送装置に固定する固定手段を備えることを特徴とする請求項１乃至４のいずれか１項に記載の画像読取装置。
【請求項６】
前記固定手段は、前記操作部に形成され、前記操作部の操作方向に長い長穴形状の挿通穴と、前記挿通穴に挿通され、一端が前記シート搬送装置のフレーム又は前記シート搬送路を形成するガイド部材に固定される固定部材と、を有することを特徴とする請求項５記載の画像読取装置。
【請求項７】
前記装置本体は、前記画像読取手段により画像が読み取られるシートの面とは反対側の面の画像を読み取る本体側画像読取手段を有することを特徴とする請求項１乃至６のいずれか１項に記載の画像読取装置。
【請求項８】
シートの画像を読み取る請求項１乃至７のいずれか１項に記載の画像読取装置を備え、前記画像読取装置により読み取られた画像情報に基づいて画像を形成することを特徴とする画像形成装置。
【発明の詳細な説明】
【技術分野】
【０００１】
本発明は、画像読取装置及び画像形成装置に関し、特に画像読取手段の向きを調整する構成に関する。
【背景技術】
【０００２】
従来、複写機やファクシミリ等の画像形成装置においては、画像読取手段により原稿画像を光学的に読み取る画像読取装置を備えたものがある。画像読取装置としては、画像読取装置本体の上部にピックアップローラにより積載トレイから分離部に原稿を送り込み、分離部で原稿を捌いて１枚ずつ搬送する自動原稿搬送装置であるＡＤＦ（Ａｕｔｏ  Ｄｏｃｕｍｅｎｔ  Ｆｅｅｄｅｒ）を有するものがある。この画像読取装置では、搬送された原稿を、ＡＤＦに設けられたプラテンローラと、画像読取装置本体の上面に設けられた流し読みガラスの間を通過させ、この際、画像読取手段により原稿画像を読み取る。
【０００３】
近年、画像読取装置においては、表裏両面に画像が形成されている原稿を一度の搬送で読み取るため、ＡＤＦに原稿の裏面画像を読み取る画像読取手段を配置したものが提案されている。このような画像読取装置の場合、精度良く裏面画像を読み取るためには原稿の搬送方向下流端である先端とＡＤＦ側の画像読取手段の読取ラインが平行になる必要がある。
【０００４】
しかし、部品公差等により搬送される原稿の先端とＡＤＦ側の画像読取手段の読取ラインとが平行にならない場合がある。このため、従来の画像読取装置においては、ＡＤＦ側の画像読取手段の向きを調整可能としたものがある（特許文献１参照）。このような画像読取装置では、ＡＤＦ側の画像読取手段の固定を解除して画像読取手段の向きを原稿の先端と読取ラインが平行となるように調整した後、画像読取手段を調整位置に固定するようにしている。
【先行技術文献】
【特許文献】
【０００５】
【特許文献１】特開２００９−２９０４４１号公報
【発明の概要】
【発明が解決しようとする課題】
【０００６】
このような従来の画像読取装置では、ＡＤＦ側の画像読取手段は、ＡＤＦに設けられた原稿搬送路の下方に配置されている。このため、画像読取手段の向きを調整する際には、まず原稿搬送路の上面を形成する開閉カバーを開放し、この後、原稿搬送路の底面を形成するガイドを外してから画像読取手段を調整する必要がある。このように、ＡＤＦ側の画像読取手段を調整するためには、いくつかの部品を外す必要があり、時間と手間がかかる。
【０００７】
そこで、本発明は、このような現状に鑑みてなされたものであり、簡単に画像読取手段の向きを調整することのできる画像読取装置及び画像形成装置を提供することを目的とするものである。
【課題を解決するための手段】
【０００８】
本発明は、装置本体と、前記装置本体に開閉可能に設けられ、シートを搬送するシート搬送部及び前記シート搬送部により搬送されたシートの画像を読み取る画像読取手段を有するシート搬送装置と、を備え、前記シート搬送装置は、前記シート搬送部により搬送されるシートが通過するシート搬送路と、前記シート搬送路を開閉する開閉部材と、前記画像読取手段の向きを調整する調整手段と、を備え、前記調整手段は、調整の際に操作される操作部を有し、前記開閉部材が開放状態のとき、前記操作部の前記開閉部材側の端部を外部に露出させることを特徴とする。
【発明の効果】
【０００９】
本発明のように、調整手段の操作部を、シート搬送路を開閉する開閉部材が開放状態のとき露出させることにより、簡単に画像読取手段の向きを調整することができる。
【図面の簡単な説明】
【００１０】
【図１】本発明の実施の形態に係る画像読取装置を備えた画像形成装置を模式的に示す断面図。
【図２】上記画像読取装置に設けられたＡＤＦの構成を説明する図。
【図３】上記ＡＤＦに設けられた第２スキャナユニットの向きを調整する調整手段の構成を説明する図。
【図４】（ａ）は上記ＡＤＦの開閉カバーを閉じた状態を示す斜視図、（ｂ）は開閉カバーが開放されている状態を示す斜視図。
【図５】（ａ）は第２スキャナユニットの調整前の原稿先端との関係を示した図、（ｂ）は第２スキャナユニットの調整後の原稿先端との関係を示した図。
【発明を実施するための形態】
【００１１】
以下、本発明の実施の形態について図面を参照しながら説明する。図１は、本発明の実施の形態に係る画像読取装置を備えた画像形成装置を模式的に示す断面図である。図１に示すように、画像形成装置１０１は、原稿積載トレイ２に積載された原稿Ｄの画像を読み取る画像読取装置１０３と、画像読取装置１０３で読み取られた原稿画像をシートＰに形成可能な画像形成部１３３を有する画像形成装置本体１０１Ａとを備えている。また、画像形成装置１０１は、画像形成部１３３の画像形成動作、画像読取装置１０３の画像読取動作等を制御する制御部１３２を備えている。
【００１２】
画像読取装置１０３は、画像読取装置本体であるスキャナ部３０と、スキャナ部３０の上部に開閉自在に設けられたシート搬送装置であるＡＤＦ１を備えている。スキャナ部３０には、光を原稿に投射するランプ、反射笠、原稿からの反射光を光電素子まで導き、かつ縮小していく縮小光学系を含んだ本体側画像読取手段である第１スキャナユニット３５が副走査方向に移動可能に設けられている。
【００１３】
ＡＤＦ１は、原稿積載トレイ２に積載された原稿Ｄを分離し、分離した原稿Ｄを第１スキャナユニット３５の画像読取位置に搬送するものである。また、このＡＤＦ１は、後述するように原稿の、第１スキャナユニット３５により画像が読み取られる第１面とは反対側の第２面の画像を読み取る画像読取手段である第２スキャナユニットを備えている。
【００１４】
画像形成装置本体１０１Ａは、画像形成部１３３と、画像形成部１３３にシートＰを給送するシート給送部３４と、手差し給紙部１３５とを有している。さらに画像形成装置本体１０１Ａは、画像が形成されたシートＰを画像形成装置本体１０１Ａ外方（機外）に排出する排出ローラ対４０と、排出されたシートＰが積載されるシート排出トレイ１３０とを有している。
【００１５】
画像形成部１３３は、トナー像が形成される感光体ドラム１２１と、感光体ドラム１２１にレーザ光を照射するレーザスキャナユニット１２３と、トナー像をシートＰに転写する転写帯電器１２５、トナー像をシート上に定着させる定着部１２９等を有している。シート給送部３４は、シートＰが積載される給紙カセット１３７ａ，１３７ｂ，１３７ｃ，１３７ｄと、給紙カセット内のシートＰを給送する給送ローラ３２と、シートＰを１枚ずつに分離しながら搬送する搬送ローラ３３ａ及び分離ローラ３３ｂとを有している。
【００１６】
次に、このような構成の画像形成装置１０１の画像形成動作について説明する。制御部１３２から画像読取装置１０３に画像読取信号が出力されると、ＡＤＦ１により原稿Ｄが搬送され、原稿は第１スキャナユニット３５により読み取られる。なお、原稿の表裏両面に画像が形成されている場合は、原稿の第１面が第１スキャナユニット３５により読み取られ、原稿の第２面は、ＡＤＦ１に設けられた第２スキャナユニットにより読み取られる。そして、制御部１３２は、読み取った原稿画像（画像情報）を電気信号に変換し、電気信号に基づいて画像データ（画像読取情報）を作成する。
【００１７】
この後、レーザスキャナユニット１２３から、この画像データに応じたレーザ光が感光体ドラム１２１に照射される。このとき、感光体ドラム１２１の表面は、帯電器１１８により予め帯電されており、レーザ光が照射されることで静電潜像が形成され、続いて静電潜像を現像器１２４によって現像することにより、感光体ドラム１２１上にトナー像が形成される。
【００１８】
一方、感光体ドラム１２１へのトナー像の形成動作に並行して、制御部１３２から給紙信号がシート給送部３４又は手差し給紙部１３５に出力される。これにより、給紙カセット１３７ａ，１３７ｂ，１３７ｃ，１３７ｄに収納された各種サイズのシートＰが給送ローラ３２により給送され、手差しトレイ１３７ｅに載置されたシートＰは手差し給送ローラ１３８により給送される。給送ローラ３２により給送されたシートＰは、搬送ローラ３３ａと分離ローラ３３ｂ間の分離ニップ部で挟持されて１枚ずつに分離されて搬送され、この後、搬送ローラ１３１によりレジストレーションローラ対１３６に搬送される。また、手差し給送ローラ１３８により給送されたシートＰは、レジストレーションローラ対１３６に搬送される。
【００１９】
そして、シートＰは、レジストレーションローラ対１３６により斜行が補正された後、感光体ドラム１２１上のトナー像と同期がとられて感光体ドラム１２１と転写帯電器１２５との間に供給される。これにより、シートＰには、転写帯電器１２５によって感光体ドラム上のトナー画像が転写され、この後、シートＰは分離帯電器１２６によって感光体ドラム１２１から分離される。なお、トナー画像を転写した感光体ドラム１２１の表面はクリーナ１２７によりクリーニングされ、帯電器１１８は、次の露光に備えて感光体ドラム１２１の表面を帯電する。
【００２０】
トナー像が転写されたシートＰは搬送部１２８によって定着部１２９へ搬送され、定着部１２９で加熱と加圧を受けて表面にトナー画像を定着される。そして、トナー画像が定着されたシートＰは、排出ローラ対４０によりシート排出トレイ１３０に排出され、順次、積載されて行く。なお、シートＰの両面に画像を形成する場合には、シートＰの第１面に画像が定着された後、シートＰは反転搬送路１３９を経てレジストレーションローラ対１３６に再搬送される。この後、既述した動作を繰り返すことにより、シートＰの第２面に画像が形成される。
【００２１】
図２に示すようにＡＤＦ１は、シート搬送部である原稿搬送部２００と、原稿搬送部２００により搬送される原稿Ｄの第２面の画像を読み取る第２スキャナユニット２０１を備えている。また、ＡＤＦ１は、原稿搬送部２００により搬送された原稿が通過するシート搬送路である原稿搬送路Ｒを備えている。
【００２２】
原稿搬送部２００は、第１スキャナユニット３５及び第２スキャナユニット２０１の画像読み取り位置にシートを搬送するものである。この原稿搬送部２００は、原稿積載トレイ２に積載された原稿Ｄを給送する原稿給送ローラ４、原稿Ｄを１枚ずつに分離する分離ローラ対５，６、原稿Ｄの斜行を補正するレジストレーションローラ対７、第１搬送ローラ対８、第２搬送ローラ対９等を有している。また、スキャナ部３０の上面には流し読みガラス２１０と、流し読みガラス２１０と副走査方向に並んで配置された原稿台ガラス２１１が設けられ、第２スキャナユニット２０１の下方にはプラテンガラス２１２が設けられている。
【００２３】
本実施の形態において、画像読取装置１０３は、ユーザによって選択された、流し読みモード（ＡＤＦ原稿読取モード）と、固定読みモード（原稿台ガラス原稿読取モード）とのいずれかのモードによって原稿を読み取るようになっている。流し読みモードは、ＡＤＦ１により原稿を、第１スキャナユニット３５の上方及び第２スキャナユニット２０１の下方を通過させることにより、原稿の片面又は両面画像を読み取るモードである。また、固定読みモードは、ユーザにより、原稿台ガラス２１１に載置された原稿の画像を、第１スキャナユニット３５を副走査方向に移動させながら読み取るモードである。
【００２４】
なお、ＡＤＦ１は、原稿台ガラス２１１が手前側から開閉可能となるように、奥側に配設された不図示のヒンジ部によりスキャナ部３０に対して上下方向に開閉（回動）可能に支持されている。そして、固定読みモードの場合は、ＡＤＦ１を上方回動することにより、原稿台ガラス２１１の上方を開放して原稿台ガラス上に原稿を載置する。
【００２５】
次に、このような構成の画像読取装置１０３による流し読みモードにおける画像読取動作について説明する。流し読みモードの場合は、まず原稿積載トレイ２上に載置された原稿Ｄを、原稿給送ローラ４により給送した後、分離ローラ対５，６により１枚ずつ分離して原稿搬送路Ｒに進入させ、静止状態のレジストレーションローラ対７のニップ部まで搬送する。これにより、原稿Ｄは、先端をレジストレーションローラ対７のニップ部に当接させた状態で停止し、この後、先端がレジストレーションローラ対７のニップ部に倣うことにより傾きが解消され、斜行が補正される。
【００２６】
斜行補正後、レジストレーションローラ対７を回転させて原稿Ｄを第１搬送ローラ対８に搬送し、第１搬送ローラ対８により流し読みガラス２１０上を通過させることにより、第１スキャナユニットによる原稿Ｄの第１面の画像読取が行われる。ここで、ユーザにより原稿Ｄの第２面も読み取る指示がされていれば、制御部１３２の制御により、第１面読み取りの後、プラテンガラス２１２の下面を通過する際、第２スキャナユニット２０１により原稿Ｄの第２面の画像読取を行う。そして、画像が読取られた後、原稿Ｄを、第２搬送ローラ対９と排出ローラ対１０とにより原稿排出部３に排出する。
【００２７】
ところで、原稿搬送路Ｒはガイド部材である搬送ガイド２０７により形成されると共に、原稿搬送路Ｒの一部はシート搬送装置本体であるＡＤＦ本体１ａに軸２０８ａを支点として開閉可能に設けられた開閉部材である開閉カバー２０８により開閉される。そして、ジャム処理等を行う場合には、開閉カバー２０８を上方回動させて原稿搬送路Ｒを開放する。
【００２８】
また、本実施の形態において、図３に示すように第２スキャナユニット２０１の原稿搬送方向（シート搬送方向）と直交する走査方向（幅方向）の一端、実施の形態において奥側端には、回動部材である回動支持部材２０４が取り付けられている。この回動支持部材２０４には、ＡＤＦ本体１ａに設けられたボス（軸）２０６ａが挿通される挿通穴２０４ａが形成されている。そして、第２スキャナユニット２０１は、この回動支持部材２０４により、ボス２０６ａを支点としてＡＤＦ本体１ａに回動可能に保持される。
【００２９】
第２スキャナユニット２０１の走査方向の他端、本実施の形態においては手前側には、操作部２０２が取り付けられている。この操作部２０２は、第２スキャナユニット２０１の向きを、読取ラインと原稿Ｄのシート搬送方向下流端である先端とが平行となるように調整する際に操作されるものである。この操作部２０２の上端部（開閉部材側端部）２０２１は、既述した図２に示すように搬送ガイド２０７の開閉カバー側（開閉部材側）の部分２０７ａよりも上方、すなわち開閉カバー側に突出している。なお、本実施の形態において、操作部２０２は、上端部２０２１と反対側の端部である下端部２０２２が保持部材２０３を介して第２スキャナユニット２０１に取り付けられている。
【００３０】
これにより、開閉カバー２０８を上方に開くと、操作部２０２の上端部２０２１が外部に露出するので、操作部２０２が操作可能になる。そして、開閉カバー２０８を開放状態として操作部２０２を操作することにより、第２スキャナユニット２０１を、ボス２０６ａを支点として回動させて第２スキャナユニット２０１の向き（位置）を調整することができる。このように、本実施の形態においては、操作部２０２と、回動支持部材２０４とにより、第２スキャナユニット２０１の向きを、調整する調整手段２０５が構成される。
【００３１】
次に、調整手段２０５による第２スキャナユニット２０１の調整方法について説明する。通常、図４の（ａ）に示すように、開閉カバー２０８は閉じられている。そして、第２スキャナユニット２０１の調整を行う場合は、まず図４の（ｂ）に示すように開閉カバー２０８を開き、操作部２０２の上端部２０２１を露出させる。このとき、操作部２０２は、シート搬送路のシート搬送領域Ｅの外側に設けられたＡＤＦ本体１ａのフレーム２０６に、固定手段２０９Ａにより固定されている。
【００３２】
なお、固定手段２０９Ａは、操作部２０２に形成され、操作部２０２の操作方向に長い長穴形状の挿通穴２０２ａと、挿通穴２０２ａに挿通され、一端がフレーム２０６の底面に設けられた不図示のねじ穴に固定される固定部材であるねじ２０９を備えている。
【００３３】
ここで、例えば、図５の（ａ）に示すように第２スキャナユニット２０１の読取ラインＬと、原稿Ｄの搬送方向先端のラインが平行でない場合には、まず、ねじ２０９を緩める、あるいは外して操作部の固定を解除する。この後、操作部を図３において矢印で示す調整方向に移動させる。これにより、回動支持部材２０４を支点として第２スキャナユニット２０１が回動し、図５の（ｂ）に示すように、第２スキャナユニット２０１の読取ラインＬと原稿Ｄの搬送方向先端のラインを平行にすることができる。
【００３４】
なお、操作部２０２を操作して第２スキャナユニット２０１の読取ラインＬと原稿Ｄの搬送方向先端のラインを平行にした後、ねじ２０９を締めて操作部２０２をフレーム２０６に固定する。これにより、第２スキャナユニット２０１による安定した画像の読み取りが可能になる。
【００３５】
以上説明したように、本実施の形態においては、開閉カバー２０８を開放すると、調整手段２０５を構成する操作部２０２が露出するので、操作部２０２の操作が可能となる。これにより、開閉カバー２０８を開放するだけで第２スキャナユニット２０１の向きを調整することができ、第２スキャナユニット２０１の調整の時間と手間を削減することができる。
【００３６】
なお、これまで操作部２０２を画像読取装置１０３の手前側に配置した場合について説明したが、操作部２０２を画像読取装置１０３の奥側に配置しても良い。また、これまでは操作部２０２をフレーム２０６に固定する場合について説明したが、本発明は、これに限らず、操作部２０２を搬送ガイド２０７に固定しても良い。
【００３７】
さらに、これまでは操作部２０２を露出させるように、操作部２０２の上端部を搬送ガイド２０７よりも開閉カバー側に突出させる場合について説明したが、本発明は、これに限らない。操作部２０２を露出することができ、開閉カバー２０８を開放した状態で操作部２０２を操作できるならば、操作部２０２の上端部が搬送ガイド２０７よりも開閉カバーから離れた位置であって良い。
【符号の説明】
【００３８】
１…ＡＤＦ（シート搬送装置）、１ａ…ＡＤＦ本体（シート搬送装置本体）、３０…スキャナ（画像読取装置本体）、３５…第１スキャナユニット（本体側画像読取手段）、１０１…画像形成装置、１０１Ａ…画像形成装置本体、１０３…画像読取装置、１３３…画像形成部、２００…原稿搬送部（シート搬送部）、２０１…第２スキャナユニット（画像読取手段）、２０２…操作部、２０２１…操作部の上端部、２０２２…操作部の下端部、２０２ａ…挿通穴、２０３…保持部材、２０４…回動支持部材（回動部材）、２０５…調整手段、２０６…フレーム、２０７…搬送ガイド（ガイド部材）、２０６ａ…ボス（軸）、２０８…開閉カバー（開閉部材）、２０９Ａ…固定手段、２０９…ねじ（固定部材）、Ｄ…原稿、Ｌ…読取ライン、Ｒ…原稿搬送路（シート搬送路）
【図１】
0006700968.tif 000002
【図２】
0006700968.tif 000003
【図３】
0006700968.tif 000004
【図４】
0006700968.tif 000005
【図５】
0006700968.tif 000006